【事件の表示】
　特願２００３−　６４０４２「移動無線電話」拒絶査定不服審判事件〔平成１５年１０月１７日出願公開、特開２００３−２９８６９２〕について、次のとおり審決する。
【結　論】
　本件審判の請求は、成り立たない。
【理　由】
１．手続の経緯・本願発明
　本願は、平成１１年８月２６日に出願した特願平１１−２３９８８５号の一部を平成１５年３月１０日に新たな特許出願としたものであって、特許請求の範囲の請求項１に係る発明（以下、「本願発明」という。）は、平成２０年４月２１日付け手続補正書により補正された明細書及び図面の記載からみて、その特許請求の範囲の請求項１に記載された以下のとおりのものと認める。
　
　「屋外に持ち出して利用可能な移動無線電話であって、
　電話本体の表側に配置され、多種の情報を表示する表示部と、
　前記表示部の上部に配置され、音声を出力するためのスピーカーと、
　前記表示部の下部で前記電話本体の表側に設けられたキー操作部と、
　前記キー操作部の下部に配置されたマイクロホンと、
　着信時に発光する発光素子（３１）とを有し、
　前記発光素子（３１）は、前記電話本体の内部で、前記表示部の裏側に設けられ、発光が前記電話本体（２）の裏から視認可能に配置されており、さらに前記発光素子（３１）は、通話時にも発光するとともに、前記着信時と通話時とで発光状態が変化することを特徴とする移動無線電話。」
　
２．引用例
（１）当審の拒絶理由に引用された特開平２−３０９８４９号公報（以下、「引用例１」という。）には、「コードレス電話装置」の発明に関し、図面とともに以下の事項が記載されている。
　イ．「［産業上の利用分野］本発明は有線通信交換網の加入者線の端末に接続された親局無線装置と、この親局無線装置との間で無線通信を行うコードレス電話子器とからなるコードレス電話装置に関するものである。」（１頁左下欄１８行〜右下欄２行）
　ロ．「［発明が解決しようとする課題］・・・（中略）・・・本発明は上述の問題点に鑑みて為されたもので、その目的とするところは充電装置部にコードレス電話子器を載置装着した後でも通話状態にあるか否かを表示により認識でき・・・（中略）・・・るコードレス電話装置に関するものである。」（１頁右下欄１１行〜２頁左上欄９行）
　ハ．「［実施例］・・・（中略）・・・一方子器６は・・・（中略）・・・オフフック操作を行う通話スイッチ１３ａやオンフック操作などを行う終了スイッチ１３ｂやダイヤルスイッチ１３ｃ等からなる操作スイッチ部と、通話表示、電池表示を発光ダイオードＬＥＤ１、ＬＥＤ２で行う表示部とからなる操作表示部１３と、上記終了スイッチ１３ｂと並列関係にある終了スイッチ１４と、通話状態を表示する表示部を構成する発光ダイードＬＥＤ３と、・・・（中略）・・・から構成される。子器６の操作表示部１３の各スイッチ１３ａ〜１３ｂや発光ダイードＬＥＤ１、ＬＥＤ２は送受話中や、充電装置部に載置装着した際に裏側となる器体６ａの中央部に第２図（ａ）に示すように設け、また終了スイッチ１４及び発光ダイードＬＥＤ３は第２図（ｂ）に示すように器体６ａの表面側に設けている。」（２頁右上欄１３行〜右下欄１５行）
　ニ．「このように通話状態となると、制御装置１５の制御の下で操作表示部１３の通話表示を行う発光ダイオードＬＥＤ１、ＬＥＤ２、及び表面側のＬＥＤ３をオンして第３図（ｄ）に示すように通話状態にあることを表示する。・・・（中略）・・・尚本実施例では子器６の器体６ａの表裏に通話状態を表示す発光ダイオードＬＥＤ１、ＬＥＤ３を設けてあるから、子器６を親器１から離れた所で、使用した後にオフフック操作せず、そのまま放置した場合にも子器６の表裏の方向から通話状態にあることを認識することが可能となるため、不要な電池消耗を防ぐことができる。」（３頁左上欄８行〜左下欄２０行）
　
　上記ハ、及び第２図（ａ）の記載、ならびにこの分野の技術常識によれば、通話表示と電池表示とを行う表示部の上部に、音声を出力するための受話器が配置され、前記表示部の下部にダイヤルスイッチ１３ｃが配置され、更に、該ダイヤルスイッチ１３ｃの下部に、送話器が配置されていることが明らかである。
　上記イ〜ニの記載及び図面ならびにこの分野における技術常識を考慮すると、上記引用例１には、以下の発明（以下、「引用発明」という。）が開示されているものと認められる。
「コードレス電話子器の器体６ａの裏側に配置され、通話表示と電池表示とを行う表示部と、
　前記表示部の上部に配置され、音声を出力するための受話器と、
　前記表示部の下部に配置され、前記コードレス電話子器の器体６ａの裏側に設けられたダイヤルスイッチ１３ｃと、
　前記ダイヤルスイッチ１３ｃの下部に配置された送話器と、
　通話時に発光する発光ダイオードＬＥＤ３とを有し、
　前記発光ダイオードＬＥＤ３は、前記コードレス電話子器の器体６ａの表面側に設けられ、発光が前記器体６ａの表面から視認可能に配置されるコードレス電話子器。」
　
（２）また、当審の拒絶理由に引用された実願平１−３８４２９号（実開平２−１３０１４６号）のマイクロフィルム（以下、「引用例２」という。）には、「着信表示付無線電話機」の発明に関し、図面とともに以下の事項が開示されているものと認められる。
　イ．「[産業上の利用分野]　本考案は着信表示付無線電話機に関する。」（１頁１６行〜１７行）
　ロ．「[実施例]・・・（中略）・・・第１図及び第２図において、本実施例の着信表示付無線電話機１は従来例と同様に送話口１１，受話口１２と同一面の操作面８にダイヤル操作部２と、・・・（中略）・・・ＬＥＤ発光部５とを備え、この操作面８側と反対面の裏面９の一角にも同様にＬＥＤ発光部６を備えて、送話口１１，受話口１２側を下向きに置いた状態でも、着信表示としてのＬＥＤ発光部６が見える様になっていて、着信状態はＬＥＤ発光部５，６の点滅または点灯により視認できる。」（３頁１８行〜４頁１３行）
　ハ．「以上説明した様に本考案は、着信状態の可視表示部をダイヤル操作部の操作面側とその裏面側にそれぞれ有することにより、着信音の消音モードで使用時に単品で机上等に置いたときの形態や充電器への嵌合形態に制約を受けることなく、可視表示部の表示状態が確認できる・・・（中略）・・・。」（５頁５行〜１３行）
　
　上記引用例２の記載及び図面ならびにこの分野における技術常識を考慮すると、上記引用例２には、以下の発明が開示されているものと認められる。
「表面にダイヤル操作部２、ＬＥＤ発光部５、送話口１１、受話口１２等を配置し、裏面にＬＥＤ発光部６を配置した着信表示付無線電話機において、前記ＬＥＤ発光部６を着信状態で点滅または点灯するようにした着信表示付無線電話機」
　
（３）また、当審の拒絶理由に引用された特開平８−３２６５６号公報（以下、「引用例３」という。）には、「携帯無線電話機の保護カバー」の発明に関し、図面とともに以下の事項が記載されている。
　イ．「【０００１】【産業上の利用分野】携帯無線電話機の保護カバーに関し、特に携帯無線電話機に装着した状態で充電の実行が可能な保護カバーに関する。」（２頁左欄２１行〜２４行）
　ロ．「【００１８】図１は本発明の一実施例の保護カバーを電話機に装着した状態を示す外観図である。・・・（中略）・・・。
【００１９】本実施例では、電話機１２に保護カバー１を装着して塵芥、水、油等の環境から保護し、常に安定した品質で使用できるようにしている。
【００２０】電話機１２は、充電端子４と、無線用のアンテナ５と、送話部に設けた開口部６と、受話部に設けた開口部７と、フック、リダイヤル等をするときに押下するファンクションキー８と、ダイヤルするときに押下するダイヤルキー９と、通話、保留等をするときに押下するファンクションキー１０と、通話者が電話機を使用するときにダイヤルのモニタ表示、電池残量の表示等を行う液晶表示器１３と、外線通話キー１６と、通話外線表示１７とを有する構成となっている。外線通話キー１６は外線を捕捉するときに押下し、その外線通話キー１６の現在状態を表示する通話外線表示１７が隣りにある。通話外線表示１７は２色のＬＥＤからなり、例えば緑の点灯は外線通話中、緑の点滅は外線保留中、赤の点灯は他の電話機が外線を使用中、赤の点滅は外線着信中または他の電話機が外線を保留中等、６個ある外線通話キー１６の状態を示し、通話者がどの外線通話キー１６を押下すれば良いか判るように構成されている。」（３頁右欄４行〜２９行）
　
　上記ロ、及び図１、図２の記載によれば、通話外線表示用ＬＥＤ１７は、電話機１２の裏側に設けられていることが明らかである。
　上記引用例３の記載及び図面ならびにこの分野における技術常識を考慮すると、上記引用例３には、以下の発明が開示されているものと認められる。
「表面にダイヤルキー９、液晶表示器１３、受話部に設けた開口部７、送話部に設けた開口部６等を配置し、裏面に通話外線表示用ＬＥＤ１７を配置した携帯無線電話機において、前記通話外線表示用ＬＥＤ１７を、緑の点灯は外線通話中、赤の点滅は外線着信中というように発光状態を変化させるようにした携帯無線電話機」
　
３．対比
　本願発明と引用発明とを対比する。
（１）「コードレス電話子器」は、「移動無線電話」の一種であり、また、コードレス電話子器は、屋外でも使用可能であることは技術常識（特開昭６３−２６２９４６号公報（１頁右下欄８行〜１８行等）、特開昭５８−１９１５４０号公報（２頁右上欄１０行〜右下欄３行等）、特開昭５９−２７６３６号公報（２頁左下欄１行〜１５行等）参照）であるから、引用発明の「コードレス電話子器」は、「屋外に持ち出して利用可能な移動無線電話」であるといえる。
（２）引用発明の「器体６ａ」「器体６ａの裏側」「器体６ａの表面側」は、本願発明の「電話本体」「電話本体の表側」「電話本体の裏側」にそれぞれ相当する。そして、引用発明の「器体６ａの表面から視認可能」は、本願発明の「電話本体の裏から視認可能」に相当する。
（３）引用発明の「通話表示と電池表示とを行う表示部」は、「情報を表示する表示部」であるといえる。
（４）引用発明の「受話器」「送話器」は、本願発明の「スピーカー」「マイクロホン」に相当する。
（５）引用発明の「ダイヤルスイッチ１３ｃ」は、本願発明の「キー操作部」に相当する。
（６）引用発明の「発光ダイオードＬＥＤ３」と本願発明の「発光素子」とを対比すると、両者は、発光が電話本体の裏から視認可能に配置されており、通話時に発光する発光素子である点で共通している。また、本願発明の「発光素子」は「前記表示部の裏側に設けられ、発光が電話本体の裏から視認可能に配置されて」いるものであるから、電話本体の裏側に設けられているということができる。
　
　したがって、本願発明と引用発明とは、
　「屋外に持ち出して利用可能な移動無線電話であって、
　電話本体の表側に配置され、情報を表示する表示部と、
　前記表示部の上部に配置され、音声を出力するためのスピーカーと、
　前記表示部の下部で前記電話本体の表側に設けられたキー操作部と、
　前記キー操作部の下部に配置されたマイクロホンと、
　発光素子とを有し、
　前記発光素子は、前記電話本体の裏側に設けられ、発光が前記電話本体の裏から視認可能に配置されており、前記発光素子は、通話時に発光する移動無線電話。」
の点で一致し、以下の点で相違している。　
［相違点１］
　表示部について、本願発明は多種の情報を表示するものであるのに対して、引用発明は通話表示と電池表示とを行うものである点。
［相違点２］
　発光素子について、電話本体の裏側に設けられる点で共通しているが、本願発明は、さらに「電話本体の内部で、前記表示部の裏側に設けられ」るのに対して、引用発明は、電話本体の内部であるか、表示部の裏側かについては言及されていない点。
［相違点３」
　本願発明の発光素子は、着信時と通話時に発光するとともに、「前記着信時と通話時とで発光状態が変化する」のに対して、引用発明の発光素子は、通話時に発光するものである点。
　
４．判断
［相違点１］について
　情報を表示する表示部を有する移動無線電話において、多種の情報を表示するようにすることは周知事項（特開平８−１８１７４９号公報（段落０００２〜０００５）、特開平４−１６５７２３号公報（特許請求の範囲、第２図等）参照）であり、相違点１は何ら格別なものではない。
［相違点２］について
　ＬＥＤ等の発光素子を電話本体の内部に設けることは周知事項（必要であれば、特開平７−２８８５６９号公報（段落００１３、００１４等）、実願平３−８５９７０号（実開平５−３１４２０号）のＣＤ−ＲＯＭ（段落０００３等）参照）であり、当該周知事項を引用発明における発光素子の設置手段として採用する上での阻害要因は何ら見あたらず、また、該発光素子を電話機本体の裏側に設ける場合、その配置位置を表側配置部品との関係でどこにするかは当業者が適宜決定し得る設計的事項に過ぎないから、引用発明の発光素子を「電話機本体の内部で、前記表示部の裏側に設けられ」るようにすることは、当業者が容易になし得ることである。
［相違点３］について
　引用例２には、「表面にダイヤル操作部２、ＬＥＤ発光部５、送話口１１、受話口１２等を配置し、裏面にＬＥＤ発光部６を配置した着信表示付無線電話機において、前記ＬＥＤ発光部６を着信状態で点滅または点灯すようにした着信表示付無線電話機」の発明が開示され、また、引用例３には、「表面にダイヤルキー９、液晶表示器１３、受話部に設けた開口部７、送話部に設けた開口部６等を配置し、裏面に通話外線表示用ＬＥＤ１７を配置した携帯無線電話機において、前記通話外線表示用ＬＥＤ１７を、緑の点灯は外線通話中、赤の点滅は外線着信中というように発光状態を変化させるようにした携帯無線電話機」の発明が開示されており、これらの公知発明を引用発明の発光素子に適用することにより、引用発明の発光素子を「着信時」と「通話時」に発光するとともに、「前記着信時と通話時とで発光状態が変化する」ものとすることは、当業者が容易になし得ることである。
　
５．むすび
　以上のとおり、本願発明は、引用例１〜３に記載された発明、及び周知事項に基づいて当業者が容易に発明をすることができたものと認められるから、特許法第２９条第２項の規定により特許を受けることができない。
　
　よって、結論のとおり審決する。